(57)【要約】    【目的】  棒状体繰り出し装置の操作性を良好なものとする。    【構成】  内面に螺旋溝が形成された外筒の内側にスリットが形成された案内部材を回転自在に配置すると共に、その案内部材の内側に棒状体受け部材を配置し、その棒状体受け部材を前記スリットを介して螺旋溝に螺合させた棒状体繰り出し装置であって、前記外筒の内面前方、あるいは、内面後方の少なくとも一方に、前記螺旋溝とほぼ同等か、あるいは螺旋溝よりも深い溝部を連続形成すると共に、前記棒状体受け部材を最前進位置、あるいは、最後退位置において前記螺旋溝の方向に向けて付勢した棒状体繰り出し装置。【選択図】        図１
2005067100.tif 000002
【特許請求の範囲】
【請求項１】
内面に螺旋溝が形成された外筒の内側にスリットが形成された案内部材を回転自在に配置すると共に、その案内部材の内側に棒状体受け部材を配置し、その棒状体受け部材を前記スリットを介して螺旋溝に螺合させた棒状体繰り出し装置であって、前記外筒の内面前方、あるいは、内面後方の少なくとも一方に、前記螺旋溝とほぼ同等か、あるいは螺旋溝よりも深い溝部を連続形成すると共に、前記棒状体受け部材を最前進位置、あるいは、最後退位置において前記螺旋溝の方向に向けて付勢したことを特徴とする棒状体繰り出し装置。
【請求項２】
前記案内部材のスリットを少なくとも２箇所に形成し、そのスリットの前方部、あるいは、後方部を閉塞すると共に、前記棒状体受け部材にはその閉塞部に当接する当接部を部分的に形成したことを特徴とする請求項１記載の棒状体繰り出し装置。
【請求項３】
前記案内部材のスリットを少なくとも２箇所に形成し、そのスリットの前方部、あるいは、後方部を閉塞すると共に、その閉塞部の位置を案内部材の軸線方向に対して異ならしめたことを特徴とする請求項１記載、あるいは、請求項２に記載の棒状体繰り出し装置。
【発明の詳細な説明】
【技術分野】
【０００１】
本発明は、内面に螺旋溝が形成された外筒の内側にスリットが形成された案内部材を回転自在に配置すると共に、その案内部材の内側に棒状体受け部材を配置し、その棒状体受け部材を前記スリットを介して螺旋溝に螺合させた棒状体繰り出し装置に関するものである。
【背景技術】
【０００２】
シャープペンシルの後方に長い消しゴムを出没可能に配置した筆記具が知られている。その１例を挙げ説明する。先具を有する外筒内にはシャープペンシル機構が収設されている。その外筒の後部には、筒状キャップの後方部内面に螺旋溝を設け、この螺旋溝の後部内径を大きくし、筒状体の前方部分内に設けられた芯タンクに当接する受部を設け、筒状体の後方部分にスリットを設け、このスリットに、消しゴム受台の消しゴムの挟持部を摺動自在に嵌め込み、該挟持部に設けた突起を螺旋溝に嵌合し、筒状体の前方部分を外筒の後方部内面にまで伸ばし、外筒に対し軸方向移動自在で回転方向にロックし、前記内径が大きい螺旋溝の部分で前記挟持部が外方へ変位するようなした消しゴム繰り出しユニットが取り付けられている。
【０００３】
即ち、挟持部に設けられた突起が螺旋溝の大内径部に達すると、その突起が螺旋溝から離脱し、これによって消しゴム受台が筒状キャップに対して空転すると共に、挟持部が外方へ変位するのである。
【特許文献１】実公平７−３０３９４号公報
【発明の開示】
【発明が解決しようとする課題】
【０００４】
しかしながら、必要以上の回転操作に対しては、空転し破損が防止されるものの、一旦、挟持部の突起が螺旋溝から離脱してしまうと、逆回転させても再び螺合せず、その結果、消しゴムを収納することができなくなり嫌な思いをしてしまうことがあった。そこで、消しゴムを指や机などに押し付け、逆回転させることによって再び螺合させる操作もなしたが、良好な復帰操作と言えず、煩わしい復帰操作となってしまっていた。
又、内径が大きい螺旋溝間に形成された山部に消しゴム受台の突起が位置した状態で消去を行うと、その消去圧によって突起が山部から通常の螺旋溝へと脱落し、その結果、突然消しゴムが引っ込んでしまい、これまた嫌な思いをしてしまっていた。
【課題を解決するための手段】
【０００５】
本発明は、内面に螺旋溝が形成された外筒の内側にスリットが形成された案内部材を回転自在に配置すると共に、その案内部材の内側に棒状体受け部材を配置し、その棒状体受け部材を前記スリットを介して螺旋溝に螺合させた棒状体繰り出し装置であって、前記外筒の内面前方、あるいは、内面後方の少なくとも一方に、前記螺旋溝とほぼ同等か、あるいは螺旋溝よりも深い溝部を連続形成すると共に、前記棒状体受け部材を最前進位置、あるいは、最後退位置において前記螺旋溝の方向に向けて付勢したことを要旨とする。
【発明の効果】
【０００６】
本発明は、内面に螺旋溝が形成された外筒の内側にスリットが形成された案内部材を回転自在に配置すると共に、その案内部材の内側に棒状体受け部材を配置し、その棒状体受け部材を前記スリットを介して螺旋溝に螺合させた棒状体繰り出し装置であって、前記外筒の内面前方、あるいは、内面後方の少なくとも一方に、前記螺旋溝とほぼ同等か、あるいは螺旋溝よりも深い溝部を連続形成すると共に、前記棒状体受け部材を最前進位置、あるいは、最後退位置において前記螺旋溝の方向に向けて付勢したので、最前進位置、あるいは、最後退位置で外軸と棒状体受け部材が空転することは勿論、復帰動作も確実に得られる。
【発明を実施するための最良の形態】
【０００７】
内部に芯繰り出し機構が配置された軸筒１の後方には、本発明である棒状体繰り出し装置２が着脱自在に取り付けられている。符号３は、軸筒１の中間部側面に配置された芯を繰り出す為のノック駒である。所謂、サイドノック式のシャープペンシルである。
以下、前記棒状体繰り出し装置２について説明する。外筒４の内面には、螺旋溝５が形成されており、その螺旋溝５の後部には、その螺旋溝５とほぼ同等の深さを有する溝部６が連続的に形成されているが、その溝部６は外筒４の内面の後端部まで延設形成されている。
又、外筒４の内側には、筒状の棒状体案内部材７が回転可能ではあるが、前後動は不能に配置されている。つまり、その棒状体案内部材７の上端部には内部空間部８を有する鍔部９が形成されており、その内部空間部８に前記外筒４の上端部が回転可能ではあるが、前後動は不能に係合しているのである。本例においては、前記内部空間部８に円周上溝部１０を形成する一方、外筒４には円周突起１１を形成し、それらを係合させている。
又、前記筒状の棒状体案内部材７の長手方向の対向する位置には、貫通した案内溝１２が形成されているが、その案内溝１２の上方部は閉塞されてされている。そして、その閉塞された案内溝１２には、棒状体１３（本例では、消しゴム）を保持する棒状体受け部材１４の脚部１５が摺動自在に挿着されている。そして、その脚部１５には突起１６が各々形成されており、前記螺旋溝５に螺合している。前記脚部１５は、案内溝１２に対応して対向する２箇所に形成されているが、その長手方向の高さを異ならしめている。具体的に説明すると、図１中左側の脚部１５よりも右側の脚部１５の方が上方に向け長く延設形成されている。符号１７は、棒状体１３を保持する筒状の保持部である。
【０００８】
次ぎに動作について説明する。図１に示す棒状体受け部材１４の最後退位置から、外筒４と棒状体案内部材７の鍔部９を指などでつまみ相対的に回転させると、棒状体受け部材１４が螺旋溝５に沿って上昇すると共に、棒状体１３が棒状体案内部材７の後端開口部から突出する（図２、図３参照）。更に、前記外筒４と棒状体案内部材７の相対的な回転を行うと棒状体受け部材１４は、最前進位置に達すると共に、棒状体受け部材１４の突起１６の一方が螺旋溝５から離脱し溝部６に達するが、他方の突起１６は螺旋溝５に約半分程度螺合している。この時、前記棒状体受け部材１４の一方の脚部１５が前記案内溝１２の閉塞部１２ａに当接し、当該脚部１５の前進移動が阻止される（図４、図５参照）。ここで、更に外筒４と棒状体案内部材７を相対的に回転させると、前記一方の脚部１５の前進移動が規制されつつ、棒状体受け部材１４は上昇しようとする。この時、他方の脚部１５は、その脚部１５側の突起１６が螺旋溝５に半分程度螺合している為、又、その脚部１５は上方への移動を阻止されている為、若干上方や外方に変形し、棒状体案内部材７の軸線に対して傾いた状態となる（図６参照）。つまり、この時点で、棒状体受け部材１４は、前記変形動作の反作用として、図中下方に向けて力が作用しているのである。即ち、棒状体受け部材１４の前記他方の脚部１５に形成されている突起１６は、下方に向けて作用を受けながらの空転動作となっているのである。
よって、ここで、外筒４と棒状体案内部材７の相対的な回転を逆方向の回転にすると、前記他方の脚部１５の突起１６が自らの弾性復帰力を活かして、容易に、しかも完全に螺旋溝５に螺合するのである。
【０００９】
尚、本例における突起１６には、傾斜面１６ａが螺旋溝５の軸線とほぼ平行な状態で形成されているが、前記螺旋溝５に復帰しやすくしている為であって、円弧状などであっても良い。
又、本例においては、外筒４の螺旋溝５の上方に棒状体受け部材１４が空転する為の溝部６や、案内溝１２の閉塞部１２ａを設けたが、螺旋溝５の下方に棒状体案内部材１４が空転する溝部や閉塞部を設けても良い。即ち、最後退位置においても空転すると共に、棒状体を突出させたい場合には、即座に棒状体受け部材の突起が螺旋溝に螺合し、確実な復帰動作が得られるものとしても良い。
【００１０】
他にも種々なせる。１例を図７〜図９に示し説明する。棒状体案内部材１８の案内部１９の長手方向の長さを異ならしめた例である。言い換えると、閉塞部１９ａの位置を異ならしめた例である。具体的に説明すると、図７中、左側の案内溝１９よりも右側の案内溝１９の方が短く形成されている。一方、棒状体受け部材２０の対向する２箇所の脚部２１は同等の長さとなっている。つまり、棒状体受け部材２０も一方の脚部２１が、前記短い方の案内溝１９の閉塞部１９ａに当接し、その前進移動が阻止されるのである。
【産業上の利用可能性】
【００１１】
以上の例においては、シャープペンシルの後方に棒状体である消しゴムを出没可能に配置した棒状体繰り出し装置を取り付けたが、棒状体繰り出し装置単体であっても良く、その場合、棒状体としては、固形修正具やクレヨン、パスなどの筆記具であっても良く、又、マスカラやアイライナー、口紅などの化粧具などであっても良い。
【図面の簡単な説明】
【００１２】
【図１】本発明の最良の形態を示す要部縦断面図。
【図２】棒状体を突出された状態を示す要部縦断面図。
【図３】図２の要部拡大図。
【図４】動作を示す要部断面図。
【図５】図４の展開図。
【図６】動作を示す要部縦断面図。
【図７】実施例１を示す棒状体案内部材の縦断面図。
【図８】実施例１を示す棒状体受け部材の縦断面図。
【符号の説明】
【００１３】
１      軸筒
２      棒状体繰り出し装置
３      ノック駒
４      外筒
５      螺旋溝
６      溝部
７      棒状体案内部材
８      内部空間部
９      鍔部
１０    円周上溝部
１１    円周突起
１２    案内溝
１２ａ  閉塞部
１３    棒状体
１４    棒状体受け部材
１５    脚部
１６    突起
１７    保持部
１８    棒状体案内部材
１９    案内溝
１９ａ  閉塞部
２０    棒状体案内部材
２１    脚部
【図１】
2005067100.tif 000003
【図２】
2005067100.tif 000004
【図３】
2005067100.tif 000005
【図４】
2005067100.tif 000006
【図５】
2005067100.tif 000007
【図６】
2005067100.tif 000008
【図７】
2005067100.tif 000009
【図８】
2005067100.tif 000010